(57)【要約】【課題】表示機能を有し、高い訴求効果の得られるラップラウンドケースを提供する。【解決手段】内フラップ５に、突き合わされる外フラップ６の端縁間に位置するヒンジ線８を入れ、天面から端面側へ切目線１０，１１を入れて天面板３に切起部１３を形成し、切起部１３に幅方向の折目線１４，１５を入れて表示板１７及び差込片１９を端面側から順次設け、内フラップ５の基端に天面からヒンジ線８まで切目線１２を入れ、陳列状態では、切目線１０，１１，１２を切断して、切起部１３を開き、内フラップ５をヒンジ線８沿いに前下方に折り曲げ、表示板１７を後上方へ折り返し、差込片１９を下方へ折り曲げて、内フラップ５と外フラップ６の間又は突き合わされる外フラップ６の間に差込片１９を差し込むようにする。【選択図】図４
2008297003.tif 000002
【特許請求の範囲】
【請求項１】
底面板(1)、一対の立面板(2)及び天面板(3)を連設して、被梱包物を巻き込み、各立面板(2)から延びる内フラップ(5)と、底面板(1)及び天面板(3)から延びる外フラップ(6)とを貼り合せて封緘するラップラウンドケースにおいて、
前記内フラップ(5)に、突き合わされる外フラップ(6)の端縁間に位置するヒンジ線(8)を入れ、天面から端面側へ切目線(10,11)を入れて天面板(3)に切起部(13)を形成し、切起部(13)に幅方向の折目線(14,15)を入れて表示板(17)及び差込片(19)を端面側から順次設け、内フラップ(5)の基端に天面からヒンジ線(8)まで切目線(12)を入れ、陳列状態では、切目線(10,11,12)を切断して、切起部(13)を開き、内フラップ(5)をヒンジ線(8)沿いに前下方に折り曲げ、表示板(17)を後上方へ折り返し、差込片(19)を下方へ折り曲げて、内フラップ(5)と外フラップ(6)の間又は突き合わされる外フラップ(6)の間に差込片(19)を差し込むようにしたことを特徴とする表示機能付きラップラウンドケース。
【発明の詳細な説明】
【技術分野】
【０００１】
この発明は、飲料缶等の包装に使用されるラップランドケースであって、店頭での表示機能を付与したものに関する。
【背景技術】
【０００２】
一般に、ビール等の飲料缶の包装には、底面板、一対の立面板及び天面板を連設して、被梱包物を巻き込み、各立面板の両端から延びる内フラップと、底面板及び天面板の両端から延びる外フラップとを貼り合せて封緘するラップラウンドケースが使用されている。
【０００３】
このようなラップラウンドケースは、店頭で陳列する際、外周の引裂帯を切断して、その上方部分を除去することにより、トレー状態で缶を露出させる。
【０００４】
また、下記特許文献１には、前面板と側面板との稜線を上端から切り込み、前面板を折り返して表示板を形成する表示機能付きのシールエンドカートンが記載されている。
【０００５】
【特許文献１】特開平１０−３３８２２６号公報
【発明の開示】
【発明が解決しようとする課題】
【０００６】
しかしながら、ラップラウンドケースの場合、トレー状態として缶を露出させるだけでは、消費者への訴求力が十分ではなく、また、高さが低いことから、上記シールエンドカートンのような前面板を利用した表示機能を採用することもできない。
【０００７】
そこで、この発明は、表示機能を有し、陳列時に高い訴求効果の得られるラップラウンドケースを提供することを課題とする。
【課題を解決するための手段】
【０００８】
上記課題を解決するため、この発明は、底面板、一対の立面板及び天面板を連設して、被梱包物を巻き込み、各立面板から延びる内フラップと、底面板及び天面板から延びる外フラップとを貼り合せて封緘するラップラウンドケースにおいて、前記内フラップに、突き合わされる外フラップの端縁間に位置するヒンジ線を入れ、天面から端面側へ切目線を入れて天面板に切起部を形成し、切起部に幅方向の折目線を入れて表示板及び差込片を端面側から順次設け、内フラップの基端に天面からヒンジ線まで切目線を入れ、陳列状態では、切目線を切断して、切起部を開き、内フラップをヒンジ線沿いに前下方に折り曲げ、表示板を後上方へ折り返し、差込片を下方へ折り曲げて、内フラップと外フラップの間又は突き合わされる外フラップの間に差込片を差し込むようにしたのである。
【発明の効果】
【０００９】
この発明に係るラップラウンドケースでは、天面板を利用した切起部に表示板及び差込片を形成し、陳列に際し、表示板を前方に迫り出させ、差込片を前面のフラップ間に差し込むこととしたので、高さが低くても、十分な面積の表示板を確保でき、簡単な変形作業で表示板を所定角度に保持して、高い訴求効果を得ることができる。
【発明を実施するための最良の形態】
【００１０】
以下、この発明の実施形態を添付図面に基づいて説明する。
【００１１】
図１に示す第１実施形態に係るラップラウンドケースの段ボールブランクでは、底面板１の両側に立面板２が連設され、一方の立面板２には天面板３が、他方の立面板２には継代片４がそれぞれ連設されている。各立面板２の両端には内フラップ５が連設され、底面板１及び天面板３の両端には外フラップ６が連設されている。
【００１２】
立面板２には、両端の内フラップ５間に亘る引裂帯７が裏面側からの半切線により形成され、その切始部７ａが立面板２の両端部に切目を入れて形成されている。この引裂帯７は、段ボールの製造時に片面のライナを切断するライナカットとしてもよく、カットテープを段ボールの裏面に貼着したものとしてもよい。
【００１３】
内フラップ５には、引裂帯７の延長線上にヒンジ線８が入れられ、内フラップ５の先端側には、ヒンジ線８の端部の切目が曲げられて、ガイド片９が設けられている。ヒンジ線８は、折り曲げを容易にするため、押罫と切目とが断続するリード罫とされている。
【００１４】
天面板３には、中央側から外フラップ６へかけて対称に、コ字状の切目線１０及びその両端から立面板２との稜線に沿って延びる切目線１１が入れられ、継代片４にも、外側縁から立面板２との稜線に沿って延びる切目線１１が入れられている。内フラップ５の基端には、切目線１１に続いてヒンジ線８に至る切目線１２が入れられている。
【００１５】
切目線１０，１１，１２は、所定方向へ途切れることなく切断できるように、鉤形の切目が断続するジッパ形式のものとされている。
【００１６】
天面板３の切目線１０，１１で区画された切起部１３には、折り曲げが容易なリード罫とした幅方向の２本の折目線１４と、押罫から成る幅方向の１本の折目線１５とが入れられ、外フラップ６側から下縁板１６、表示板１７、上縁板１８及び差込片１９が順次設けられている。差込片１９の端縁には、弧状の切込により指入部２０が設けられている。
【００１７】
このブランクを組み立てて飲料缶を包装するには、図２に示すように、底面板１、一対の側面板２及び天面板３を角筒状に折り曲げて、集積した飲料缶を巻き込み、継代片４を天面板３に貼り付け、内フラップ５及び外フラップ６を順次内側へ折り曲げ、貼り合わせて封緘する。
【００１８】
この包装状態では、突き合わされる外フラップ６の切り欠かれた先端縁の肩部間に、内フラップ５のヒンジ線８が位置する。
【００１９】
一方、店頭で商品を陳列する際には、図３に示すように、指入部２０に指を入れ、前方へ向く側において、切目線１０，１１を切断して、前側の切起部１３を開き、内フラップ５をヒンジ線８沿いに前下方へ折り曲げる。
【００２０】
また、引裂帯７を切始部７ａから引き裂き、後方となる内フラップ５のヒンジ線８を切断して、引裂帯７及びヒンジ線８の上方部分を除去することにより、図４に示すように、トレー状として、飲料缶Ｃを露出させる。
【００２１】
そして、図４及び図５に示すように、切起部１３を折目線１４，１５に沿って巻き込むように、表示板１７を後上方へ折り返し、差込片１９を下方へ折り曲げて、内フラップ５と外フラップ６の糊付けされていない部分の間に差込片１９を差し込む。
【００２２】
このとき、ガイド片９を差込片１９で押すと、内フラップ５と外フラップ６の隙間が開くので、差込片１９をこの隙間に容易に差し込むことができる。
【００２３】
上記のようなラップラウンドケースでは、天面板３を利用した切起部１３に表示板１７及び差込片１９を形成し、陳列に際し、表示板１７を前方に迫り出させ、差込片１９を前面の内フラップ５と外フラップ６の間に差し込むこととしたので、高さが低くても、十分な面積の表示板を確保でき、簡単な変形作業で表示板を所定角度に保持して、高い訴求効果を得ることができる。
【００２４】
また、折目線１４を入れて下縁板１６及び上縁板１８を形成していることから、切起部１３を深く屈曲させることなく、段階的に折り曲げることができ、折り曲げの反発が抑制されると共に、表示板１７の迫出量が大きくなりすぎることを防止して、店内で邪魔にならないようにすることができる。
【００２５】
なお、図６及び図７に示す第２実施形態のように、コーナーに面取部２ａを設けた多角形周壁のラップラウンドケースにおいても、同様の構成を採用することができ、また、差込片１９を、内フラップ５と外フラップ６の間ではなく、突き合わされる外フラップ６の間に差し込むことにより、表示板１７を所定角度に保持することもできる。この場合、上記第１実施形態で設けたガイド片９は、省略することができる。
【００２６】
また、上記各実施形態では、陳列作業時に、どちらの端面を前方に向けても表示機能を得られるように、切起部１３等を対称に設けているが、表示板１７をさらに大きく確保したい場合等においては、これらをいずれか一方にのみ設けるようにしてもよい。
【図面の簡単な説明】
【００２７】
【図１】第１実施形態に係るラップラウンドケースのブランクを示す図
【図２】同上の包装状態を示す斜視図
【図３】同上の陳列状態への変形過程を示す斜視図
【図４】同上の陳列状態を示す斜視図
【図５】（ａ）同上の陳列状態への変形過程を示す縦断側面図、（ｂ）同上の陳列状態を示す縦断側面図
【図６】第２実施形態に係るラップラウンドケースの陳列状態を示す斜視図
【図７】（ａ）同上の陳列状態への変形過程を示す縦断側面図、（ｂ）同上の陳列状態を示す縦断側面図
【符号の説明】
【００２８】
１  底面板
２  立面板
３  天面板
４  継代片
５  内フラップ
６  外フラップ
７  引裂帯
７ａ  切始部
８  ヒンジ線
９  ガイド片
１０，１１，１２  切目線
１３  切起部
１４，１５  折目線
１６  下縁板
１７  表示板
１８  上縁板
１９  差込片
２０  指入部
【図１】
2008297003.tif 000003
【図２】
2008297003.tif 000004
【図３】
2008297003.tif 000005
【図４】
2008297003.tif 000006
【図５】
2008297003.tif 000007
【図６】
2008297003.tif 000008
【図７】
2008297003.tif 000009